【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
製紙機械内に使用する排出孔付き衝突シューで、ヘッドボックススライスから移動形成ファブリック上に射出される原料噴流の衝突点に隣接して配置した前記排出孔付き衝突シューであって、
（ｉ）前記衝突点の上流に位置する先導端と、
（ｉｉ）後続端と、
（ｉｉｉ）固定手段により前記製紙機械に取り外し可能に固定するよう設けた機械側の面と、
（ｉｖ）前記形成ファブリックを摺接状態に支持するよう設けた所定の機械横断方向輪郭と機械方向輪郭を有する紙側の面とを有し、
前記紙側の面に、前記先導端にほぼ隣接して始まって前記後続端にほぼ隣接して終わり、前記紙側の面から前記衝突シューの前記機械側の面まで延びる複数の排出孔を含む、排出孔付き衝突シュー。
【請求項２】
前記複数の排出孔は、衝突シューの紙側の面に併せ寄与するファブリック当接紙側の面を有する複数の積層セグメント間に配設し、固定手段により取り外し可能に固定されるよう設け、離間手段により離間分離関係に付勢した、請求項１記載の排出孔付き衝突シュー。
【請求項３】
前記離間手段の少なくとも一部は、前記積層セグメントの少なくとも一部と一体構成した、請求項２記載の排出孔付き衝突シュー。
【請求項４】
それぞれがファブリック当接紙側の面を有し、この面が前記形成ファブリックがその上を移動する前記衝突シューの前記紙側の面に寄与する少なくとも複数の第１の積層セグメントと、少なくとも一部がファブリック当接面を含まず、選択された第１の積層セグメント間に位置するよう設けた複数の第２の積層セグメントとの間に、複数の排出孔を配設し、前記第１と第２の積層セグメントを固定手段により取り外し可能に固定するよう設け、離間手段により離間分離関係に付勢した、請求項１記載の排出孔付き衝突シュー。
【請求項５】
各第１の積層セグメントは第１の紙側の面輪郭を有し、各第２の積層セグメントは前記第１の紙側の面輪郭とは異なる第２の紙側の面輪郭を有する、請求項４記載の排出孔付き衝突シュー。
【請求項６】
前記第２の積層セグメントの少なくとも一部が前記複数の排出孔の構成にほぼ寄与する、請求項４記載の排出孔付き衝突シュー。
【請求項７】
前記離間手段が前記第２の積層セグメントの少なくとも一部を備える、請求項４記載の排出孔付き衝突シュー。
【請求項８】
製紙機械用の形成部で、機械方向と機械横断方向を有する前記形成部であって、
前記機械方向に移動する少なくとも一つの形成ファブリックと、
衝突点において第１の形成ファブリックに対し所定の衝突角度で衝突する製紙原料噴流を供給するヘッドボックススライスを含むヘッドボックスと、
周囲を第１の形成ファブリックが通過し、前記ヘッドボックススライスの上流に位置するロールと、
前記衝突点の下流に位置し、各形成ファブリックが通過するファブリック通路を定義（ｄｅｆｉｎｅ）する静止支持要素を含む形成部とを含み、
少なくとも一つの形成ファブリックに、前記原料が各形成ファブリックに当接する個別点に隣接配置した排出孔付き衝突シューが配設してあり、
各衝突シューが、
（ｉ）先導端と、
（ｉｉ）後続端と、
（ｉｉｉ）固定手段により前記製紙機械に取り外し可能に固定するよう設けた機械側の面と、
（ｉｖ）前記形成ファブリックを摺接状態に支持するよう設けたファブリック当接面を含む所定の機械横断方向輪郭と機械方向輪郭を有する紙側の面とを有し、
前記紙側の面に、前記先導端にほぼ隣接して始まって前記後続端にほぼ隣接して終わり、前記紙側の面から前記衝突シューの前記機械側の面まで延びる複数の排出孔を含む、形成部。
【請求項９】
各衝突シューごとに、前記複数の排出孔が形成され、前記各衝突シューのそれぞれがファブリック当接紙側の面を有し、この面が前記形成ファブリックがその上を移動する前記衝突シューの前記紙側の面に寄与する少なくとも複数の第１の積層セグメントと、少なくとも一部がファブリック当接面を含まず、選択された第１の積層セグメント間に位置するよう設けた複数の第２の積層セグメントとの間に配設してあり、前記第１と第２の積層セグメントを固定手段により取り外し可能に固定するよう設け、離間手段により離間分離関係に付勢した、請求項８記載の製紙機械用の形成部。
【請求項１０】
各第１の積層セグメントは第１の紙側の面輪郭を有し、各第２の積層セグメントは前記第１の紙側の面輪郭とは異なる第２の紙側の面輪郭を有する、請求項９記載の製紙機械用の形成部。
【請求項１１】
前記離間手段は、前記第２の積層セグメントの少なくとも一部を備える、請求項１０記載の製紙機械用の形成部。
【請求項１２】
製紙機械内で使用するファブリック支持要素であって、
（ｉ）先導端と、
（ｉｉ）後続端と、
（ｉｉｉ）固定手段により前記製紙機械に取り外し可能に固定するよう設けた機械側の面と、
（ｉｖ）製紙ファブリックを摺接状態に支持するよう設けたファブリック当接面を含む所定の機械横断方向輪郭と機械方向輪郭を有する紙側の面とを有し、
（ａ）前記要素が前記機械横断方向における隣接関係と前記機械方向におけるほぼ平行な長手方向の関係にある複数の少なくとも第１と第２の積層セグメントを備え、
（ｂ）前記第１の積層セグメントの前記ファブリック当接紙側の面輪郭は前記第２の積層セグメントの前記紙側の面輪郭とは異なり、
（ｃ）前記第１及び第２の積層セグメントの少なくとも一部が前記要素の前記ファブリック当接紙側の面の所定輪郭に寄与し、
（ｄ）前記第１及び第２の積層セグメントの少なくとも一部が前記紙側の面から前記機械側の面まで複数の排出孔付き開口を定義（ｄｅｆｉｎｅ）する、ファブリック支持要素。
【請求項１３】
それぞれがファブリック当接紙側の面を有し、この面が前記形成ファブリックがその上を移動する前記衝突シューの前記紙側の面に寄与する少なくとも複数の第１の積層セグメントと、前記衝突シューの前記紙側の面に寄与せず、選択された第１の積層セグメント間に位置するよう設けた複数の第２の積層セグメントとの間に、排出孔付き開口を配設し、前記第１と第２の積層セグメントを固定手段により取り外し可能に固定するよう設け、離間手段により離間分離関係に付勢した、請求項１２記載のファブリック支持要素。
【請求項１４】
各第１の積層セグメントは第１のファブリック当接面を含む第１の紙側の面輪郭を有し、各第２の積層セグメントは前記第１の紙側の面輪郭とは異なる第２の紙側の面輪郭を有する、請求項１３記載のファブリック支持要素。
【請求項１５】
前記離間手段が前記第２の積層セグメントの少なくとも一部を備える、請求項１３記載のファブリック支持要素。
【請求項１６】
前記複数の排出孔の少なくとも一部がさらにＶ形状の刻みを備える、請求項１３記載のファブリック支持要素。
【請求項１７】
機械方向と機械横断方向を有する製紙機械であって、
機械方向に移動する製紙ファブリックと、
ファブリック支持要素で、
（ｉ）先導端と、
（ｉｉ）後続端と、
（ｉｉｉ）固定手段により前記製紙機械に取り外し可能に固定するよう設けた機械側の面と、
（ｉｖ）前記製紙ファブリックを摺接状態に支持するよう設けたファブリック当接面を含む所定の機械横断方向輪郭と機械方向輪郭を有する紙側の面とを有し、
（ａ）前記要素が複数の少なくとも第１と第２の積層セグメントを備え、
（ｂ）前記第１の積層セグメントの前記紙側の面輪郭は前記第２の積層セグメントの前記紙側の面輪郭とは異なり、
（ｃ）前記第１及び第２の積層セグメントの少なくとも一部が前記要素の前記ファブリック当接紙側の面の所定輪郭に寄与し、
（ｄ）前記第１及び第２の積層セグメントの少なくとも一部が前記紙側の面から前記機械側の面まで複数の排出孔付き開口を定義（ｄｅｆｉｎｅ）する、製紙機械。
【請求項１８】
前記第１と第２の積層セグメントは、離間手段により離間分離関係に付勢した、請求項１７記載の製紙機械。
【請求項１９】
各第１の積層セグメントは第１の紙側の面輪郭を有し、各第２の積層セグメントは前記第１の紙側の面輪郭とは異なる第２の紙側の面輪郭を有する、請求項１７記載の製紙機械。
【請求項２０】
前記離間手段は、前記第２の積層セグメントの少なくとも一部を備える、請求項１７記載の製紙機械。
【請求項２１】
製紙機械用のファブリック支持要素内に、製紙機械の機械方向にほぼ平行な長手方向の関係でもってその複数をもって取り外し可能に固定するよう設けた積層セグメントであって、
輪郭付きのファブリック当接紙側の面と先導端と後続端とを有し、前記輪郭付きの紙側の面を前記要素の輪郭付きの紙側の面へ寄与するよう適用できる、積層セグメント。
【請求項２２】
製紙機械内に移動製紙ファブリックを支持する静止ファブリック支持要素を作成する方法であって、
（ｉ）複数の積層セグメントを離間分離させかつほぼ平行な構成にて組み立て、それによって前記セグメントの少なくとも一部の隣接対間に排出孔付き開口を定義（ｄｅｆｉｎｅ）するステップで、前記セグメントの少なくとも一部の前記紙側の面が、前記移動ファブリックが摺接できる合成紙側の面を定義（ｄｅｆｉｎｅ）する前記ステップと、
（ｉｉ）前記セグメントを取り外し可能に固定し、かくしてそれらを前記製紙機械上の保持手段に対し固定手段により前記機械方向に対しほぼ平行又は所定角度に配向するステップとを含む、方法。
【請求項２３】
請求項２１に記載の積層セグメントであって、
前記セグメントは、離隔手段により複数単位で離間関係にて解離可能に固定されていること
を特徴とする積層セグメント。
【請求項２４】
請求項２２に記載の積層セグメントであって、
前記離隔手段は、前記セグメントと一体形成されていること
を特徴とする積層セグメント。
【請求項２５】
請求項２に記載の排出孔付き衝突シューであって、
前記積層セグメントは、前記機械方向に対し２度〜２０度の範囲の角度εにて配向させるようほぼ平行な関係にて解離可能に固着されていること
を特徴とする排出孔付き衝突シュー。
【請求項２６】
請求項２５に記載の排出孔付き衝突シューであって、
前記離隔手段の少なくとも一部は、前記積層セグメントの少なくとも一部と一体構成していること
を特徴とする排出孔付き衝突シュー。
【請求項２７】
請求項４に記載の排出孔付き衝突シューであって、
前記第１と第２の積層セグメントは、前記機械方向に対し２度〜２０度の範囲の角度εにて配向させるようほぼ平行な関係にて解離可能に固着していること
を特徴とする排出孔付き衝突シュー。
【請求項２８】
請求項５に記載の排出孔付き衝突シューであって、
前記第１と第２の積層セグメントは、前記機械方向に対し２度〜２０度の範囲の角度εにて配向させるようほぼ平行な関係にて解離可能に固着していること
を特徴とする排出孔付き衝突シュー。
【請求項２９】
請求項６に記載の排出孔付き衝突シューであって、
前記第１と第２の積層セグメントは、前記機械方向に対し２度〜２０度の範囲の角度εにて配向させるようほぼ平行な関係にて解離可能に固着していること
を特徴とする排出孔付き衝突シュー。
【請求項３０】
請求項７に記載の排出孔付き衝突シューであって、
前記第１と第２の積層セグメントは、前記機械方向に対し２度〜２０度の範囲の角度εにて配向させるようほぼ平行な関係にて解離可能に固着していること
を特徴とする排出孔付き衝突シュー。
【請求項３１】
請求項９に記載の製紙機械用の形成部であって、
前記第１と第２の積層セグメントは、前記機械方向に対し２度〜２０度の範囲の角度εにて配向させるようほぼ平行な関係にて解離可能に固着していること
を特徴とする製紙機械用の形成部。
【請求項３２】
請求項１０に記載の製紙機械用の形成部であって、
前記第１と第２の積層セグメントは、前記機械方向に対し２度〜２０度の範囲の角度εにて配向させるようほぼ平行な関係にて解離可能に固着していること
を特徴とする製紙機械用の形成部。
【請求項３３】
請求項１７に記載の製紙機械であって、
前記第１と第２の積層セグメントは、前記機械方向に対し２度〜２０度の範囲の角度εにて配向させるようほぼ平行な関係にて解離可能に固着していること
を特徴とする製紙機械。
【請求項３４】
請求項１８に記載の製紙機械であって、
前記第１と第２の積層セグメントは、前記機械方向に対し２度〜２０度の範囲の角度εにて配向させるようほぼ平行な関係にて解離可能に固着していること
を特徴とする製紙機械。
【請求項３５】
請求項１９に記載の製紙機械であって、
前記第１と第２の積層セグメントは、前記機械方向に対し２度〜２０度の範囲の角度εにて配向させるようほぼ平行な関係にて解離可能に固着していること
を特徴とする製紙機械。
【請求項３６】
請求項２０に記載の製紙機械であって、
前記第１と第２の積層セグメントは、前記機械方向に対し２度〜２０度の範囲の角度εにて配向させるようほぼ平行な関係にて解離可能に固着していること
を特徴とする製紙機械。
【請求項３７】
請求項２４に記載の静止したファブリック支持要素の作成方法であって、
前記小角度は、２度〜２０度の範囲にあること
を特徴とする静止したファブリック支持要素の作成方法。